(57)【要約】【課題】自己及び通信相手側の端末装置の構成を簡易化しつつも、確実な無線通信を可能とする端末装置を提供する。【解決手段】無線通信相手側の端末装置を撮像する撮像部と、前記撮像部による無線信号の撮像に基づいて前記無線通信相手側の端末装置における無線ポートの位置を検知する検知部と、前記検知部による検知に基づいてユーザにガイダンスを行う案内部と、を備える端末装置としている。【選択図】図１
2015159506.tif 000002
【特許請求の範囲】
【請求項１】
無線通信相手側の端末装置を撮像する撮像部と、
前記撮像部による無線信号の撮像に基づいて前記無線通信相手側の端末装置における無線ポートの位置を検知する検知部と、
前記検知部による検知に基づいてユーザにガイダンスを行う案内部と、
を備えることを特徴とする端末装置。
【請求項２】
前記案内部は、前記無線通信相手側の端末装置の向きを維持するようユーザに指示し、自己の端末装置における無線ポートの位置をユーザに示すガイダンスを行うことを特徴とする請求項１に記載の端末装置。
【請求項３】
前記検知部による検知ができなかった場合に、前記無線通信相手側の端末装置の向きを変更するようユーザに指示するガイダンスを行う第２の案内部を備えることを特徴とする請求項１又は請求項２に記載の端末装置。
【請求項４】
前記第２の案内部は、前記無線通信相手側の端末装置の無線通信状態を確認するようユーザに指示するガイダンスも併せて行うことを特徴とする請求項３に記載の端末装置。
【請求項５】
無線通信機能を操作部により選択されて無線通信機能処理が開始されるときに、前記無線通信相手側の端末装置を所定の無線通信状態とし、前記無線通信相手側の端末装置が前記撮像部に撮像されるよう向きを調整するようユーザに指示するガイダンスを行う第３の案内部を備えることを特徴とする請求項１〜請求項４のいずれか１項に記載の端末装置。
【発明の詳細な説明】
【技術分野】
【０００１】
本発明は、端末装置に関する。
【背景技術】
【０００２】
従来、例えば赤外線通信機能を使用してユーザが、自己の通信端末又はモバイル情報端末と通信相手側の端末装置との通信を実施させる場合に、ユーザが自己又は通信相手側の端末装置に搭載される赤外線ポートの位置を知らない場合には、互いの赤外線ポート同士を正しい位置関係で対向させることが困難であった。そのため、赤外線通信自体を行うことができない場合や、赤外線通信が途中で失敗することなく正常に完了する結果を得るのが難しい場合があった。
【０００３】
このような課題を解決するために、例えば特許文献１には、機種対応処理装置と、この機種対応処理装置と連携する携帯端末とを備える携帯端末機種対応システムに関する発明が開示されている。ここで、上記携帯端末は、自己の機種情報を直接又は間接的に提供する機種情報提供手段を有する。また、上記機種対応処理装置は、上記機種情報提供手段から機種情報の提供を受けて機種情報を取得する機種情報取得手段と、取得された機種情報に応じた処理を実行する機種対応処理実行手段とを有している。
【０００４】
なお、機種情報を直接的に提供する上記機種情報提供手段としては、例えば機種情報を記憶している非接触ＩＤタグであり、機種情報を間接的に提供する上記機種情報提供手段としては、例えば携帯端末の本体表面に貼付されたバーコードシールや、携帯端末のディスプレイに表示されたバーコードである。
【先行技術文献】
【特許文献】
【０００５】
【特許文献１】特開２００５−２００５１号公報
【発明の概要】
【発明が解決しようとする課題】
【０００６】
しかしながら、上記特許文献１の発明では、通信相手の携帯端末側の課題として、ＩＤタグやバーコードといった上記機種情報提供手段を必要とする。
【０００７】
また、上記機種対応処理装置側の課題として、取得された機種情報に応じた処理を実行するためには、機種情報と共に赤外線ポート位置等の端末情報をデータベース化して記録保持しておく必要がある。
【０００８】
特に、新製品である携帯端末が機種情報提供手段を有していても、取得される機種情報が上記データベースに記録保持されていない場合には、上記携帯端末の赤外線ポート位置を検出することが不可能となる。このため、新製品の携帯端末が発売されたら、上記データベースに、新製品である上記携帯端末の機種情報及び端末情報を随時追加記録保持しなければならないといったメンテナンスが必要となる。
【０００９】
上記状況に鑑み、本発明は、自己及び通信相手側の端末装置の構成を簡易化しつつも、確実な無線通信を可能とする端末装置を提供することを目的とする。
【課題を解決するための手段】
【００１０】
上記目的を達成するために本発明の端末装置は、無線通信相手側の端末装置を撮像する撮像部と、前記撮像部による無線信号の撮像に基づいて前記無線通信相手側の端末装置における無線ポートの位置を検知する検知部と、前記検知部による検知に基づいてユーザにガイダンスを行う案内部と、を備える構成としている。
【００１１】
このような構成によれば、無線通信相手側の端末装置に従来のようなＩＤタグやバーコード等の機種情報提供手段を備えずとも、無線通信相手側の端末装置における無線ポートの位置を検知することが可能となる。
【００１２】
また、従来のように機種情報に対応して無線ポート位置を含む端末情報をデータベース化して記録保持することが不要となる。特に、新製品である無線通信相手側の端末装置であって無線ポート位置が未知のものであっても、データベースを用いずに無線ポート位置を検知することが可能となり、従来のようなデータベースのメンテナンスが不要となる。
【００１３】
そして、無線ポート位置の検知に基づいてユーザにガイダンスを行うので、自己の端末装置と無線通信相手側の端末装置の互いの無線ポートを適切な位置関係とするようユーザを誘導できる。従って、確実な無線通信が可能となる。
【発明の効果】
【００１４】
本発明の端末装置によれば、自己及び通信相手側の端末装置の構成を簡易化しつつも、確実な無線通信が可能となる。
【図面の簡単な説明】
【００１５】
【図１】本発明の一実施形態に係る端末装置の概略構成を示すブロック図である。
【図２】本発明の一実施形態に係る端末装置における赤外線通信の送信機能処理に関するフローチャートである。
【図３】本発明の一実施形態に係る端末装置における赤外線通信の送信機能処理に関するフローチャートである。
【図４】本発明の一実施形態に係る端末装置における赤外線通信の送信機能処理に関するフローチャートである。
【図５】本発明の一実施形態に係る端末装置における赤外線通信の受信機能処理に関するフローチャートである。
【図６】本発明の一実施形態に係る端末装置における赤外線通信の受信機能処理に関するフローチャートである。
【図７】本発明の一実施形態に係る端末装置における赤外線通信の受信機能処理に関するフローチャートである。
【発明を実施するための形態】
【００１６】
以下に本発明の実施形態について図面を参照して説明する。本発明の一実施形態に係る端末装置（通信端末又はモバイル情報端末）の概略構成を図１に示す。図１に示す端末装置１は、赤外線通信機能とカメラ機能を搭載している。但し、通話機能やインターネット機能についての構成は図１では図示しておらず、これらの構成は必要に応じて端末装置１に備えられる。
【００１７】
端末装置１は、表示処理部１０１と、制御部１０２と、操作処理部１０３と、カメラ部１０４と、画像入力処理部１０５と、赤外線ポート位置検知判別処理部１０６と、赤外線ポート１０７と、赤外線通信送信処理部１０８と、赤外線通信受信処理部１０９と、赤外線通信開始時用ガイダンスメッセージ作成処理部１１０と、赤外線ポート位置検知判別用ガイダンスメッセージ作成処理部１１１と、赤外線ポート位置誘導用ガイダンスメッセージ作成処理部１１２と、を備えている。
【００１８】
表示処理部１０１は、例えば液晶ディスプレイや有機ＥＬディスプレイを備え、カメラ機能による撮影画像や、各種ガイダンスメッセージや、メニュー画面等、各種画像を表示するものである。
【００１９】
制御部１０２は、例えばＣＰＵ等を備える中央制御装置であり、端末装置１全体の制御を実行するものである。操作処理部１０３は、テンキー、方向キー等の各種ハードキーや、タッチパネルを備えており、これらの操作子に対するユーザの操作を処理する。
【００２０】
カメラ部１０４は、固体撮像素子（例えばＣＣＤ（Charge Coupled Device）センサやＣＭＯＳ（Complementary Metal Oxide Semiconductor）センサ）を備え、撮像した画像を撮像データとして生成・出力する。カメラ部１０４は風景や人物等、様々なものを撮像対象とするが、特に本実施形態では、カメラ部１０４は、赤外線通信相手側の端末装置（図１では図示していないが端末装置１の近隣に位置している）を撮像する。画像入力処理部１０５は、カメラ部１０４から入力された撮像データに対して画像処理を行い、処理後の画像データを出力する。例えば、１画素(ピクセル)データ毎に、色相、彩度、明度を当該画素と隣接する(右上、上、左上、右、左、左下、下、右下の)画素データと比較して既定された値以上に差異が有る(急激に変化が有る)場合を輪郭と判別する事により、撮像対象物（例えば赤外線通信相手側の端末装置）の輪郭を抽出し、抽出した輪郭に例えば赤色等の原色の色で枠を合成する画像処理を行い、処理後の画像データを出力する。
【００２１】
赤外線ポート位置検知判別処理部１０６は、画像入力処理部１０５から入力された画像データから赤外線の撮像位置を検知することで、通信相手側の端末装置における赤外線ポートの位置を検知判別するものである。
【００２２】
例えば、赤外線ポート位置の検知判別処理は以下のように行う。
（１）画像入力処理部１０５から入力された画像データの全て、または、撮像対象物の輪郭が抽出された場合には輪郭内の画像データから、１画素(ピクセル)データ毎に指定された輝度値が指定した値(閾値)を基準として、その値より入力画素の輝度値が明るければ白色、暗ければ黒色として２値化する。
（２）連続して画像入力処理部１０５から入力された画像データを上記（１）の画像処理にて２値化する。
（３）上記（１）及び（２)の画像処理にて２値化された連続した複数の画像データを比較することにより、白色が存在する画像データが同じ箇所にて連続した場合に、輝度に変化が無く継続した箇所を赤外線ポートの位置と検知判別する。または、上記（１）及び（２)の画像処理にて２値化された連続した複数の画像データを比較することにより、白色が存在する画像データが連続した後の画像データでは消滅して（黒色となって）、かつ、再度白色が連続した場合に、そのように輝度が変化した箇所を赤外線ポートの位置と検知判別する。
【００２３】
赤外線ポート１０７は、通信相手側の端末装置における赤外線ポートと赤外線通信を行うポートであり、赤外線発光素子や赤外線受光素子等を備えている。
【００２４】
赤外線通信送信処理部１０８は、赤外線通信の送信機能を制御する処理を行うものであり。赤外線通信受信処理部１０９は、赤外線通信の受信機能を制御する処理を行うものである。
【００２５】
赤外線通信開始時用ガイダンスメッセージ作成処理部１１０は、ユーザによって赤外線通信（送信又は受信）が選択されて処理が開始したときにおけるガイダンスメッセージを作成処理するものである。赤外線ポート位置検知判別用ガイダンスメッセージ作成処理部１１１は、通信相手側の端末装置における赤外線ポートの位置を検知できなかった場合に、検知できるようにユーザに案内するガイダンスメッセージを作成処理するものである。赤外線ポート位置誘導用ガイダンスメッセージ作成処理部１１２は、通信相手側の端末装置における赤外線ポートの位置を検知できた場合に、端末装置１と通信相手側の端末装置の互いの赤外線ポートを対向するようユーザに案内するガイダンスメッセージを作成処理するものである。これら各種のガイダンスメッセージについては後に詳述する。
【００２６】
次に、端末装置１における赤外線通信の送信機能を選択した場合の処理について図２〜図４に示すフローチャートを用いて説明する。
【００２７】
図２に示す処理は、例えば表示処理部１０１に表示されたメニュー画面から操作処理部１０３によって赤外線通信の送信機能が選択された場合に開始される。まず、ステップＳ１で、制御部１０２の指示により、赤外線通信開始時用ガイダンスメッセージ作成処理部１１０は、所定のガイダンスメッセージを作成処理し、作成されたガイダンスメッセージに基づいて表示処理部１０１はメッセージを表示する。ここでのメッセージの例としては、「赤外線通信の送信を開始します。赤外線通信相手の端末を赤外線通信の受信状態にして、端末をカメラに写るように向けてください。」とすればよい。
【００２８】
そして、ステップＳ２で、カメラ部１０４で撮像された画像を画像入力処理部１０５が画像処理し、画像処理後の画像データ（撮像対象物の輪郭が合成された画像）に基づき表示処理部１０１に画像が表示される。また、画像入力処理部１０５からの入力に基づき赤外線ポート位置検知判別処理部１０６が赤外線ポート位置を検知した場合は、検知された位置を示す所定の画像を合成された画像が表示処理部１０１に表示される。
【００２９】
また、画像入力処理部１０５にて撮像対象物の輪郭が抽出不可の場合で、かつ、赤外線ポート位置検知判別処理部１０６にて赤外線ポート位置が検知不可の場合には、カメラ部１０４で撮像された画像は表示処理部１０１にスルー表示される。
【００３０】
そして、ステップＳ３で、赤外線ポート位置検知判別処理部１０６は、画像入力処理部１０５から入力された画像データから、赤外線の撮像位置を検知判別する処理を行う。ステップＳ１によるガイダンスメッセージにより、赤外線通信相手側の端末装置を受信状態とし、その端末装置の赤外線ポートをカメラ部１０４に向けていれば、赤外線ポートは点灯又は点滅しているので、赤外線が撮像される。従って、赤外線ポートの位置を検知判別することが可能となる。
【００３１】
もし、通信相手側の端末装置における赤外線ポートの位置を検知判別することが可能であった場合は（ステップＳ４のＹ）、ステップＳ１０（図３）に進む。
【００３２】
ステップＳ１０では、制御部１０２の指示により、赤外線ポート位置誘導用ガイダンスメッセージ作成処理部１１２は、所定のガイダンスメッセージを作成処理し、作成されたガイダンスメッセージに基づいて表示処理部１０１はメッセージを表示する。ここでのメッセージの例としては、「赤外線通信相手の端末の赤外線ポート位置を検知できました。赤外線通信相手の端末の向きをそのままの状態で保持してください。赤外線通信相手の端末と、自分の端末の赤外線ポート位置が互いに向き合うようにしてください。」とする。
【００３３】
更にここで、端末装置１（自分の端末）の赤外線ポート位置を具体的に表示して示す。例えば、端末の模式図を示して、赤外線ポート位置として、端末背面の中心位置、端末背面の下部位置、端末画面の上部位置、端末画面の右側縁位置、端末画面の左側縁位置、端末画面の下部位置、端末の上部側面位置、端末の下部側面位置、端末の右側側面上部位置、端末の右側側面中心部位置、端末の右側側面下部位置、端末の左側側面上部位置、端末の左側側面中心部位置、端末の左側側面下部位置を示す。
【００３４】
このようなガイダンスメッセージの表示によって、ユーザは自分の端末装置１と通信相手側の端末装置の互いの赤外線ポート位置を対向するよう誘導され、確実な赤外線通信を行うための準備を行うことができる。
【００３５】
一方、ステップＳ１でのガイダンスメッセージにも関わらず、赤外線通信相手側の端末装置を受信状態にしていなかったり、受信状態にしてはいるが、赤外線ポートをカメラ部１０４側に向けていなかった場合は、赤外線ポート位置を検知判別することは不可能となる。この場合（ステップＳ４のＮ）、ステップＳ５に進み、制御部１０２の指示により、表示処理部１０１は、赤外線通信の送信を中止終了するかユーザに問い合わせるメッセージを表示する。
【００３６】
ここで、赤外線通信の送信を中止終了することが操作処理部１０３により選択されると（ステップＳ６のＹ）、ステップＳ１５（図４）に進み、制御部１０２の指示により、表示処理部１０１は、赤外線通信の送信が中止終了されたことを示すメッセージを表示する。そして、処理は終了となる（エンド）。
【００３７】
一方、赤外線通信の送信を中止終了しないことが操作処理部１０３により選択されると（ステップＳ６のＮ）、ステップＳ７に進む。ステップＳ７では、制御部１０２の指示により、赤外線ポート位置検知判別用ガイダンスメッセージ作成処理部１１１は、所定のガイダンスメッセージを作成処理し、作成されたガイダンスメッセージに基づいて表示処理部１０１はメッセージを表示する。ここでのメッセージの例としては、「赤外線通信相手の端末の赤外線ポート位置を検知できませんでした。赤外線通信相手の端末を赤外線通信の受信状態にしていますか。前回とは別の撮影角度で赤外線通信相手の端末がカメラに写るように向けてください。」とする。
【００３８】
そして、ステップＳ８（図３）に進み、赤外線ポート位置検知判別処理部１０６は、画像入力処理部１０５から入力された画像データから、赤外線の撮像位置を検知判別する処理を行う。ステップＳ７によるガイダンスメッセージにより、赤外線通信相手側の端末装置を受信状態とし、その端末装置の赤外線ポートをカメラ部１０４に向けていれば、赤外線ポートは点灯又は点滅しているので、赤外線が撮像される。従って、赤外線ポートの位置を検知判別することが可能となる。
【００３９】
もし、赤外線ポート位置を検知可能である場合は（ステップＳ９のＹ）、先述したステップＳ１０に進み、端末装置１と通信相手側の端末装置の互いの赤外線ポート位置を対向するようユーザに誘導させるガイダンスメッセージが表示される。一方、赤外線ポート位置を検知することが不可能であった場合は（ステップＳ９のＮ）、ステップＳ５に戻る。
【００４０】
ステップＳ１０のガイダンスメッセージ表示の後、ステップＳ１１に進み、制御部１０２の指示により、赤外線通信送信処理部１０８は、赤外線通信の送信動作の処理を開始する。ステップＳ１２で制御部１０２は送信動作が終了したかを確認し、送信動作が終了するまで確認が継続される（ステップ１２のＮ）。送信動作が終了したことを確認すると（ステップＳ１２のＹ）、ステップＳ１３（図４）に進む。
【００４１】
ステップＳ１３で、制御部１０２は、赤外線通信の送信動作は正常に終了したか否かを判定し、正常に終了した場合は（ステップＳ１３のＹ）、ステップＳ１７に進む。ステップＳ１７で、制御部１０２の指示により、表示処理部１０１は、赤外線通信の送信動作が正常に終了したことを示すメッセージを表示する。そして、処理は終了となる（エンド）。
【００４２】
一方、赤外線通信の送信動作が異常に終了した場合は（ステップＳ１３のＮ）、ステップＳ１４に進む。ステップＳ１４で、制御部１０２は、赤外線通信の送信動作が通信エラーで終了したか否かを判定する。もし通信エラーで終了した場合は（ステップＳ１４のＹ）、ステップＳ１６に進む。ステップＳ１６で、制御部１０２の指示により、表示処理部１０１は、赤外線通信の送信動作が通信エラーで終了したことを示すメッセージを表示し、処理は終了となる（エンド）。
【００４３】
また、ステップＳ１４で、赤外線通信の送信動作が通信エラーで終了していない場合は（ステップＳ１４のＮ）、送信動作はユーザの操作によって中止終了されたとして、ステップＳ１５で、制御部１０２の指示により、表示処理部１０１はその旨を示すメッセージを表示する。そして、処理は終了となる（エンド）。
【００４４】
以上説明したような処理によれば、赤外線通信相手側の端末装置に従来のようなＩＤタグやバーコード等の機種情報提供手段を備えずとも、赤外線通信相手側の端末装置における赤外線ポートから発光する赤外線をカメラ部１０４により撮像することで、赤外線ポートの位置を検知することが可能となる。
【００４５】
また、従来のように機種情報に対応して赤外線ポート位置を含む端末情報をデータベース化して記録保持することが不要となる。特に、新製品である赤外線通信相手側の端末装置であって赤外線ポート位置が未知のものであっても、データベースを用いずに赤外線ポート位置を検知することが可能となり、従来のようなデータベースのメンテナンスが不要となる。
【００４６】
そして、赤外線ポート位置が検知できれば、端末装置１と赤外線通信相手側の端末装置の互いの赤外線ポートを対向するようユーザを誘導するガイダンスを行うので、確実な赤外線通信を可能とする。
【００４７】
次に、端末装置１において赤外線通信の受信機能を選択した場合に行われる処理についてのフローチャートを図５〜図７に示す。本処理の全体的な流れは先述した送信機能を選択した場合の処理（図２〜図４）と同様であるので、ここでは相違点のみについて述べる。
【００４８】
まず、ステップＳ２１では、ガイダンスメッセージとして、赤外線通信相手側の端末装置を赤外線通信の送信状態にするよう表示する。また、ステップＳ２５では、赤外線通信の受信を中止終了するか問い合わせるメッセージを表示する。そして、受信を中止終了しなければ（ステップＳ２６のＮ）、ステップＳ２７に進み、赤外線通信相手側の端末装置を赤外線通信の送信状態としているかを確認するガイダンスメッセージを表示する。
【００４９】
また、ステップＳ３１では、赤外線通信の受信動作を開始し、受信動作の終了の仕方に応じて各種メッセージを表示する（ステップＳ３３〜Ｓ３７）。
【００５０】
このような処理によっても、先述した送信機能を選択した場合の処理の効果と同様の効果を奏することが可能である。
【００５１】
以上、本発明の実施形態について説明したが、本発明の趣旨の範囲内であれば、実施形態は種々の変形が可能である。
【００５２】
例えば、図３の処理におけるステップＳ１０でのガイダンスメッセージとして、検知された赤外線ポート位置を撮像画像に併せて目印等により表示して、赤外線通信相手側の端末装置の赤外線ポート位置をユーザに知らせるようにしてもよい。
【符号の説明】
【００５３】
１  端末装置
１０１  表示処理部
１０２  制御部
１０３  操作処理部
１０４  カメラ部
１０５  画像入力処理部
１０６  赤外線ポート位置検知判別処理部
１０７  赤外線ポート
１０８  赤外線通信送信処理部
１０９  赤外線通信受信処理部
１１０  赤外線通信開始時用ガイダンスメッセージ作成処理部
１１１  赤外線ポート位置検知判別用ガイダンスメッセージ作成処理部
１１２  赤外線ポート位置誘導用ガイダンスメッセージ作成処理部
【図１】
2015159506.tif 000003
【図２】
2015159506.tif 000004
【図３】
2015159506.tif 000005
【図４】
2015159506.tif 000006
【図５】
2015159506.tif 000007
【図６】
2015159506.tif 000008
【図７】
2015159506.tif 000009